(57)【特許請求の範囲】
【請求項１】
第１色を発する第１群の発光部と、
第２色を発する第２群の発光部と、
前記第１群の発光部及び前記第２群の発光部からの光を散乱させる光散乱層と、
を備え、
前記第１群の発光部と前記第２群の発光部は、第１方向に交互に並んでおり、
前記光散乱層は、前記第１群及び第２群の発光部の一端から他端まで位置する第１領域と前記第１領域内の中央領域とを含み、
ＣＩＥ  １９７６  ＵＳＣにおいて、前記第１領域内の各位置の色度は、前記中央領域の色度の平均から０．０２以下の範囲にある発光装置。
【請求項２】
請求項１に記載の発光装置において、
第３色を発する第３群の発光部を備え、
前記第１群の発光部、前記第２群の発光部及び前記第３群の発光部は、前記第１方向に沿って、前記第１群の発光部、前記第２群の発光部及び前記第３群の発光部の順で繰り返し配置され、
前記第１色は、赤色、緑色及び青色のいずれかであり、
前記第２色は、赤色、緑色及び青色のいずれかであり、前記第１色とは異なり、
前記第３色は、赤色、緑色及び青色のいずれかであり、前記第１色及び前記第２色とは異なる発光装置。
【請求項３】
請求項２に記載の発光装置において、
前記第１群の発光部は、第１発光部、第２発光部及び第３発光部を含み、
前記第２発光部と前記第３発光部は、前記第１発光部、前記第２群の発光部及び前記第３群の発光部を挟んで互いに対向し、
前記第２発光部の幅及び前記第３発光部の幅は、前記第１発光部の幅よりも狭い発光装置。
【発明の詳細な説明】
【技術分野】
【０００１】
本発明は、発光装置に関する。
【背景技術】
【０００２】
発光装置では、光の色を調節するために、互いに異なる色を発する発光部を一列に繰り返し並べることがある。この場合、例えば、赤色の光を発する発光部（Ｒ）、緑色の光を発する発光部（Ｇ）及び青色の光を発する発光部（Ｂ）を一列にＲＢＧの順で繰り返し並べる。各発光部からの光は、光散乱層に入射し、光散乱層において散乱する。これにより、光散乱層からは、均一な色の光が出射される。一方、このような発光装置では、列の端部における色度が列のその他の領域の色度から大きく異なることがある。
【０００３】
列の端部における色度と列のその他の領域における色度の差を小さくするため、特許文献１には、列の端部に位置する発光部の輝度を列のその他の領域に位置する発光部の輝度よりも低くすることが記載されている。具体的には、列の端部に位置する発光部に接続している回路と列のその他の領域に位置する発光部に接続している回路が互いに異なっている。
【０００４】
列の端部における色度と列のその他の領域における色度の差を小さくするため、特許文献２には、列の端部に位置する発光部から外部に出射される光の一部を遮ることが記載されている。具体的には、列の端部に位置する発光部の近傍に側壁が位置している。この側壁は、列の端部に位置する発光部の一部を覆っている。これにより、列に端部に位置する発光部からの光の一部が遮断される。
【先行技術文献】
【特許文献】
【０００５】
【特許文献１】特開２００５−３３２８２８号公報
【特許文献２】特開２０１３−１１４８８０号公報
【発明の概要】
【発明が解決しようとする課題】
【０００６】
上記したように、発光装置では、互いに異なる色を発する発光部を一列に繰り返し並べることがある。特許文献１，２に記載されているように、このような発光装置では、列の端部における色度と列のその他の領域における色度の差を小さくする必要がある。本発明者は、列の端部における色度と列のその他の領域における色度の差を小さくするための構造を簡易にすることを検討した。
【０００７】
本発明が解決しようとする課題としては、互いに異なる色を発する発光部を一列に繰り返し並べた場合に、列の端部における色度と列のその他の領域における色度の差を簡易な構造で小さくすることが一例として挙げられる。
【課題を解決するための手段】
【０００８】
請求項１に記載の発明は、
第１色を発する第１群の発光部と、
第２色を発する第２群の発光部と、
前記第１群の発光部及び前記第２群の発光部からの光を散乱させる光散乱層と、
を備え、
前記第１群の発光部と前記第２群の発光部は、第１方向に交互に並んでおり、
前記光散乱層は、前記第１群及び第２群の発光部の一端から他端まで位置する第１領域と前記第１領域内の中央領域とを含み、
ＣＩＥ  １９７６  ＵＳＣにおいて、前記第１領域内の各位置の色度は、前記中央領域の色度の平均から０．０２以下の範囲にある発光装置である。
【図面の簡単な説明】
【０００９】
【図１】実施形態に係る発光装置を示す平面図である。
【図２】図１の第１の変形例を示す図である。
【図３】図１の第２の変形例を示す図である。
【図４】図１の第３の変形例を示す図である。
【図５】図１の第４の変形例を示す図である。
【図６】図１の第５の変形例を示す図である。
【図７】図１に示した発光装置の使用方法の一例を説明するための図である。
【図８】実施例１に係る発光装置を示す平面図である。
【図９】（ａ）は、図８のＡ−Ａ断面図であり、（ｂ）は、図８のＢ−Ｂ断面図である。
【図１０】実施例２に係る発光装置を示す図である。
【図１１】実施例３に係る発光装置を示す平面図である。
【図１２】実施例４に係る発光装置を示す平面図である。
【図１３】比較例に係る発光装置を示す平面図である。
【図１４】図１１に示した発光装置、図１２に示した発光装置及び図１３に示した発光装置のシミュレーション方法を説明するための図である。
【図１５】（ａ）は、実施例３に係る発光装置（図１１）のシミュレーション結果の第１例を示す図であり、（ｂ）は、比較例に係る発光装置（図１３）のシミュレーション結果の第１例を示す図である。
【図１６】（ａ）は、実施例３に係る発光装置（図１１）のシミュレーション結果の第２例を示す図であり、（ｂ）は、比較例に係る発光装置（図１３）のシミュレーション結果の第２例を示す図である。
【図１７】（ａ）は、実施例３に係る発光装置（図１１）のシミュレーション結果の第３例を示す図であり、（ｂ）は、比較例に係る発光装置（図１３）のシミュレーション結果の第３例を示す図である。
【図１８】実施例４に係る発光装置（図１２）のシミュレーション結果の一例を示す図である。
【発明を実施するための形態】
【００１０】
以下、本発明の実施の形態について、図面を用いて説明する。尚、すべての図面において、同様な構成要素には同様の符号を付し、適宜説明を省略する。
【００１１】
図１は、実施形態に係る発光装置１０を示す平面図である。発光装置１０は、複数の発光部１４２（第１群の発光部）、複数の発光部１４４（第２群の発光部及び第３群の発光部の一方）及び複数の発光部１４６（第２群の発光部及び第３群の発光部の他方）を備えている。発光部１４２と発光部１４４（又は発光部１４２と発光部１４６）は、第１方向（図中、Ｘ方向）に交互に並んでいる。複数の発光部１４２は、発光部１４２ａ（第１発光部）、発光部１４２ｂ（第２発光部）及び発光部１４２ｃ（第３発光部）を含んでいる。発光部１４２ｂと発光部１４２ｃは、発光部１４２ａ、複数の発光部１４４及び複数の発光部１４６を挟んで互いに対向している。第１方向（図中、Ｘ方向）において、発光部１４２ｂの幅及び発光部１４２ｃの幅は、発光部１４２ａの幅よりも狭い。以下、詳細に説明する。
【００１２】
発光装置１０は、複数の発光部１４０を有している。複数の発光部１４０は、第１方向（図中、Ｘ方向）に沿って一列に並んでいる。各発光部１４０は、例えばＯＬＥＤ（Ｏｒｇａｎｉｃ  Ｌｉｇｈｔ−Ｅｍｉｔｔｉｎｇ  Ｄｉｏｄｅ）であり、例えば後述する図９に示すように、第１電極１１０、有機層１２０及び第２電極１３０を有している。図１に示す例において、各発光部１４０の形状は、一対の長辺及び一対の短辺を有する矩形である。各発光部１４０は、発光部１４０の短辺が第１方向（図中、Ｘ方向）に沿うように位置している。
【００１３】
複数の発光部１４０のうちの一部の発光部１４０（発光部１４２）は、赤色（Ｒ）（例えば、波長６２０ｎｍ以上７５０ｎｍ以下）を発する。複数の発光部１４０のうちの他の一部の発光部１４０（発光部１４４）は、緑色（Ｇ）（例えば、波長４９５ｎｍ以上５７０ｎｍ以下）を発する。複数の発光部１４０のうちの他の一部の発光部１４０（発光部１４６）は、青色（Ｂ）（例えば、波長４５０ｎｍ以上４９５ｎｍ以下）を発する。発光部１４２、発光部１４４及び発光部１４６は、発光部１４２（Ｒ）、発光部１４４（Ｇ）及び発光部１４６（Ｂ）の順で第１方向（図中、Ｘ方向）に沿って繰り返し配置されている。
【００１４】
互いに隣接する発光部１４２ａ、発光部１４４及び発光部１４６は、一つの画素を構成している。言い換えると、発光部１４２ａ、発光部１４４及び発光部１４６の各々は、サブピクセルである。発光部１４２ａからの光、発光部１４４からの光及び発光部１４６からの光によって白色光が生成される。
【００１５】
複数の発光部１４２は、複数の発光部１４２ａ、発光部１４２ｂ及び発光部１４２ｃを含んでいる。発光部１４２ｂは、複数の発光部１４０からなる列の一端の発光部１４０である。発光部１４２ｃは、複数の発光部１４０からなる列の他端の発光部１４０である。言い換えると、発光部１４２ｂ及び発光部１４２ｃを除く発光部１４０（複数の発光部１４２ａ、複数の発光部１４４及び複数の発光部１４６）はいずれも、発光部１４２ｂと発光部１４２ｃの間に位置している。
【００１６】
第１方向（図中、Ｘ方向）において、発光部１４２ｂの幅及び発光部１４２ｃの幅は、発光部１４２ａの幅よりも狭く、例えば発光部１４２ａの幅の３０％以上７０％以下、好ましくは発光部１４２ａの幅の５０％である。
【００１７】
第１方向（図中、Ｘ方向）において、発光部１４２ｂの幅と発光部１４２ｃの幅は、互いに等しくてもよいし、又は互いに異なっていてもよい。例えば、発光部１４２ｂの幅と発光部１４２ｃの幅の和は、発光部１４２ａの幅とほぼ等しく、具体的には、発光部１４２ａの幅の９５％以上１０５％以下である。
【００１８】
第１方向に直交する第２方向（図中、Ｙ方向）において、発光部１４２ｂの長さ及び発光部１４２ｃの長さは、発光部１４２ａの長さとほぼ等しく、具体的には、発光部１４２ａの長さの９５％以上１０５％以下である。さらに、第２方向において、発光部１４４の長さ及び発光部１４６の長さは、発光部１４２ａの長さとほぼ等しく、具体的には、発光部１４２ａの長さの９５％以上１０５％以下である。
【００１９】
なお、第１方向（図中、Ｘ方向）において、発光部１４４の幅は、発光部１４２ａの幅と等しくてもよいし、又は発光部１４２ａの幅と異なっていてもよい。同様にして、発光部１４６の幅は、発光部１４２ａの幅と等しくてもよいし、又は発光部１４２ａの幅と異なっていてもよい。
【００２０】
以上、本実施形態によれば、複数の発光部１４０からなる列の両端の発光部１４０（発光部１４２ｂ及び発光部１４２ｃ）の幅が狭いものとなっている。このため、複数の発光部１４０の列の両端における赤色（発光部１４２ｂ及び発光部１４２ｃの発する色）の色度がその他の領域における赤色の色度よりも有意に大きくなることが抑制される。このため、複数の発光部１４０からなる列の一端から他端に亘って色の均一性を保つことができる。
【００２１】
図２は、図１の第１の変形例を示す図である。本図に示す例では、発光部１４２、発光部１４４及び発光部１４６は、発光部１４４、発光部１４６及び発光部１４２の順で第１方向（図中、Ｘ方向）に沿って繰り返し配置されている。複数の発光部１４４は、複数の発光部１４４ａ、発光部１４４ｂ及び発光部１４４ｃを含んでいる。発光部１４４ｂは、複数の発光部１４０からなる列の一端の発光部１４０である。発光部１４４ｃは、複数の発光部１４０からなる列の他端の発光部１４０である。本変形例においては、複数の発光部１４０からなる列の両端における緑色（発光部１４４ｂ及び発光部１４４ｃの発する色）の色度がその他の領域における緑色の色度よりも有意に大きくなることが抑制される。
【００２２】
図３は、図１の第２の変形例を示す図である。本図に示す例では、発光部１４２、発光部１４４及び発光部１４６は、発光部１４６、発光部１４２及び発光部１４４の順で第１方向（図中、Ｘ方向）に沿って繰り返し配置されている。複数の発光部１４６は、複数の発光部１４６ａ、発光部１４６ｂ及び発光部１４６ｃを含んでいる。発光部１４６ｂは、複数の発光部１４０からなる列の一端の発光部１４０である。発光部１４６ｃは、複数の発光部１４０からなる列の他端の発光部１４０である。本変形例においては、複数の発光部１４０からなる列の両端における青色（発光部１４６ｂ及び発光部１４６ｃの発する色）の色度がその他の領域における青色の色度よりも有意に大きくなることが抑制される。
【００２３】
さらに、本変形例においては、複数の発光部１４０からなる列の両端の発光部１４０（発光部１４６ｂ及び発光部１４６ｃ）の発する色が青色となる。青色の輝度は、赤色（発光部１４２の発する色）の輝度及び緑色（発光部１４４の発する色）の輝度よりも低い。このため、発光部１４６ｂ及び発光部１４６ｃからの色は、人間の眼にとって認識されにくい。
【００２４】
図４は、図１の第３の変形例を示す図である。本図に示すように、複数の発光部１４０の両端の色は、互いに異なっていてもよい。詳細には、発光部１４２、発光部１４４及び発光部１４６は、発光部１４２、発光部１４４及び発光部１４６の順で第１方向（図中、Ｘ方向）に沿って繰り返し配置されている。複数の発光部１４２は、複数の発光部１４２ａ（第１発光部）及び発光部１４２ｂ（第２発光部）を含んでいる。複数の発光部１４４は、複数の発光部１４４ａ（第４発光部）及び発光部１４４ｃ（第５発光部）を含んでいる。発光部１４２ｂは、複数の発光部１４０の一端の発光部１４０である。発光部１４４ｃは、複数の発光部１４０の他端の発光部１４０である。言い換えると、複数の発光部１４０のうち発光部１４２ｂ及び発光部１４４ｃ以外の発光部１４０は、発光部１４２ｂと発光部１４４ｃの間にある。
【００２５】
第１方向（図中、Ｘ方向）において、発光部１４４ｃの幅は、発光部１４４ａの幅よりも狭く、例えば発光部１４４ａの幅の３０％以上７０％以下、好ましくは発光部１４４ａの幅の５０％である。
【００２６】
本変形例においては、複数の発光部１４０の一端における赤色（発光部１４２ｂの発する色）の色度がその他の領域における赤色の色度よりも有意に大きくなることが抑制される。さらに、複数の発光部１４０の他端における緑色（発光部１４４ｃの発する色）の色度がその他の領域における緑色の色度よりも有意に大きくなることが抑制される。
【００２７】
図５は、図１の第４の変形例を示す図である。本図に示すように、複数の発光部１４０の両端の色は、互いに異なっていてもよい。詳細には、発光部１４２、発光部１４４及び発光部１４６は、発光部１４２、発光部１４４及び発光部１４６の順で第１方向（図中、Ｘ方向）に沿って繰り返し配置されている。複数の発光部１４２は、複数の発光部１４２ａ（第１発光部）及び発光部１４２ｂ（第２発光部）を含んでいる。複数の発光部１４６は、複数の発光部１４６ａ（第４発光部）及び発光部１４６ｃ（第５発光部）を含んでいる。発光部１４２ｂは、複数の発光部１４０の一端の発光部１４０である。発光部１４６ｃは、複数の発光部１４０の他端の発光部１４０である。言い換えると、複数の発光部１４０のうち発光部１４２ｂ及び発光部１４６ｃ以外の発光部１４０は、発光部１４２ｂと発光部１４６ｃの間にある。
【００２８】
第１方向（図中、Ｘ方向）において、発光部１４６ｃの幅は、発光部１４６ａの幅よりも狭く、例えば発光部１４６ａの幅の３０％以上７０％以下、好ましくは発光部１４４ａの幅の５０％である。
【００２９】
本変形例においては、複数の発光部１４０の一端における赤色（発光部１４２ｂの発する色）の色度がその他の領域における赤色の色度よりも有意に大きくなることが抑制される。さらに、複数の発光部１４０の他端における青色（発光部１４６ｃの発する色）の色度がその他の領域における青色の色度よりも有意に大きくなることが抑制される。
【００３０】
図６は、図１の第５の変形例を示す図である。本図に示すように、幅の狭い発光部１４０（本図に示す例では、発光部１４２ｂ）は、複数の発光部１４０の一端のみに位置していてもよい。言い換えると、本図に示す例では、幅の狭い発光部１４０（例えば、図１に示した発光部１４２ｃ）が複数の発光部１４０の他端に位置していない。本図に示す例においても、複数の発光部１４０の一端における赤色（発光部１４２ｂの発する色）の色度がその他の領域における赤色の色度よりも有意に大きくなることが抑制される。
【００３１】
図７は、図１に示した発光装置１０の使用方法の一例を説明するための図である。本図に示す例では、２つの発光装置１０が用いられている。２つの発光装置１０は、一方の発光装置１０（図中、左側の発光装置１０）の発光部１４２ｃと他方の発光装置１０（図中、右側の発光装置１０）の発光部１４２ｂが互いに連結するように並べられている。上記したように、発光部１４２ｂの幅と発光部１４２ｃの幅の和は、発光部１４２ａの幅とほぼ等しい。このため、本図に示す例では、一方の発光装置１０（図中、左側の発光装置１０）の発光部１４２ｃと他方の発光装置１０（図中、右側の発光装置１０）の発光部１４２ｂによって実質的に発光部１４２ａが構成されることになる。
【実施例】
【００３２】
図８は、実施例１に係る発光装置１０を示す平面図である。図９（ａ）は、図８のＡ−Ａ断面図である。図９（ｂ）は、図８のＢ−Ｂ断面図である。本実施例に係る発光装置１０は、以下の点を除いて、実施形態に係る発光装置１０と同様である。
【００３３】
発光装置１０は、基板１００、複数の発光部１４０、複数の絶縁層１５０、光散乱層１６０、複数の第１導電層２１０及び複数の第２導電層２３０を有している。各発光部１４０は、第１電極１１０、有機層１２０及び第２電極１３０を有している。
【００３４】
基板１００は、第１面１０２及び第２面１０４を有している。第２面１０４は、第１面１０２の反対側にある。基板１００は、光透過性の絶縁材料からなり、具体的には例えばガラス基板である。
【００３５】
複数の第１導電層２１０は、基板１００の第１面１０２上にある。複数の第１導電層２１０は、第１方向（図中、Ｘ方向）に並んでいる。各第１導電層２１０は、第２方向（図中、Ｙ方向）に延伸している。第１導電層２１０は、光透過性を有する導電性材料からなり、例えば、金属を含む材料、例えば金属酸化物、より具体的には、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）又はＺｎＯ（Ｚｉｎｃ  Ｏｘｉｄｅ）からなる。
【００３６】
各第１導電層２１０は、第１端子１１２及び第１電極１１０を有している。第１端子１１２は、第１導電層２１０の一端である。第１電極１１０は、第１導電層２１０の一部であり、有機層１２０及び第２電極１３０と重なっている。外部からの電圧は、第１端子１１２を介して第１電極１１０に印加される。
【００３７】
複数の絶縁層１５０は、第１方向（図中、Ｘ方向）に並んでいる。各絶縁層１５０は、第１電極１１０及び基板１００の第１面１０２上にある。絶縁層１５０は、第１導電層２１０の一部（第１電極１１０）を露出する開口１５２を有している。すなわち、発光部１４０は、絶縁層１５０の開口１５２によって画定されている。
【００３８】
有機層１２０は、第１電極１１０上において絶縁層１５０の開口１５２内に位置している。有機層１２０は、第１電極１１０と第２電極１３０の間の電圧によって光を発する。具体的には、有機層１２０は、例えば、正孔注入層、正孔輸送層、発光層、電子輸送層及び電子注入層を有している。この場合、正孔注入層及び正孔輸送層は第１電極１１０に接続し、電子注入層及び電子輸送層は第２電極１３０に接続する。なお、正孔注入層及び正孔輸送層の一方はなくてもよい。電子注入層及び電子輸送層の一方もなくてもよい。発光部１４２（発光部１４２ａ、発光部１４２ｂ及び発光部１４２ｃ）の有機層１２０（発光層）は、第１電極１１０と第２電極１３０の間の電圧によって赤色の光を発する。発光部１４４の有機層１２０（発光層）は、第１電極１１０と第２電極１３０の間の電圧によって緑色の光を発する。発光部１４６の有機層１２０（発光層）は、第１電極１１０と第２電極１３０の間の電圧によって青色の光を発する。
【００３９】
複数の第２導電層２３０は、第１方向（図中、Ｘ方向）に並んでいる。各第２導電層２３０は、第２方向（図中、Ｙ方向）に延伸している。各第２導電層２３０は、有機層１２０上及び絶縁層１５０上にある。第２導電層２３０は、Ａｌ、Ａｕ、Ａｇ、Ｐｔ、Ｍｇ、Ｓｎ、Ｚｎ及びＩｎからなる第１群の中から選択される金属又はこの第１群から選択される金属の合金を含んでいる。第２導電層２３０の一部（第２電極１３０）は、絶縁層１５０の開口１５２と重なっている。第２導電層２３０の一端は、第２端子１３２に接続している。第２端子１３２は、発光部１４０を挟んで第１端子１１２の反対側にある。外部からの電圧は、第２端子１３２を介して第２電極１３０に印加される。
【００４０】
光散乱層１６０は、基板１００の第２面１０４上にある。光散乱層１６０は、複数の発光部１４０が並んでいる領域と重なっており、例えば第２面１０４の全体に位置している。光散乱層１６０は、例えば、絶縁層及びこの絶縁層中の粒子を有している。光散乱層１６０の絶縁層は、例えば有機材料（例えば、イミド系、アクリル系、エーテル系、シラン系、又はシロキサン系の有機材料）又は無機材料（ガラスペースト、ガラスフリット又はＳｉＯ２ゾル）からなる。光散乱層１６０の粒子は、例えば無機材料、具体的には、例えば酸化物（例えば酸化チタン、酸化ジルコニウム、又は酸化シリコン）からなる。
【００４１】
各発光部１４０からの光は、基板１００から光散乱層１６０に入射する。光は、光散乱層１６０内で（例えば、上記した粒子によって）散乱する。これにより、基板１００の第２面１０４に対向する領域から見た場合、各発光部１４０からの光は、均一なものとなる。
【００４２】
図９（ａ）及び図９（ｂ）に示すように、発光部１４２ｂにおける開口１５２の幅は、発光部１４２ａにおける開口１５２の幅よりも狭い。これにより、発光部１４２ｂの幅は、発光部１４２ａの幅よりも狭くなる。言い換えると、開口１５２の幅に基づいて、発光部１４０の幅を調整することができる。
【００４３】
なお、図８に示す例において、発光部１４２ｂ及び発光部１４２ｃは、複数の発光部１４０の列の最も外側に位置している。言い換えると、基板１００の第１面１０２上では、発光部１４２ｂの外側及び発光部１４２ｃの外側には、発光部１４０が位置していない。
【００４４】
（実施例２）
図１０は、実施例２に係る発光装置１０を示す図であり、実施例１の図８に対応する。本実施例に係る発光装置１０は、以下の点を除いて、実施例１に係る発光装置１０と同様である。
【００４５】
発光装置１０は、回路１７０、第１配線１７２及び第２配線１７４を備えている。第１配線１７２は、複数の発光部１４２（複数の発光部１４２ａ、発光部１４２ｂ及び発光部１４２ｃ）に接続しており、具体的には各発光部１４２の第１端子１１２（第１電極１１０）に接続している。第２配線１７４は、複数の発光部１４２（発光部１４２ａ、発光部１４２ｂ及び発光部１４２ｃ）に接続しており、具体的には発光部１４２の第２端子１３２（第２電極１３０）に接続している。複数の発光部１４２は、第１配線１７２と第２配線１７４の間で電気的に並列に接続している。回路１７０は、複数の発光部１４２を駆動するための電圧を第１配線１７２と第２配線１７４の間に印加する。
【００４６】
なお、回路１７０は、基板１００に取り付けられていてもよいし、又は基板１００の外側に位置していてもよい。回路１７０が基板１００に取り付けられている場合、回路１７０は、例えば、基板１００の第１面１０２上に搭載されている。
【００４７】
本図に示す例においては、第１配線１７２と第２配線１７４の間に電圧を印加した場合、発光部１４２ｂの輝度及び発光部１４２ｃの輝度が複数の発光部１４２ａの輝度と等しくなる。これは、第１配線１７２と第２配線１７４の間に電圧を印加した場合の発光部１４２の電流密度が発光部１４２の幅によらず一定となるためである。より詳細には、第１方向（図中、Ｘ方向）において、発光部１４２ｂの幅及び発光部１４２ｃの幅は、発光部１４２ａの幅よりも狭い。このため、発光部１４２ａ、発光部１４２ｂ及び発光部１４２ｃに一定の電圧を印加すると、発光部１４２ｂを流れる電流及び発光部１４２ｃを流れる電流は、発光部１４２ａを流れる電流よりも小さくなる。例えば、発光部１４２ｂの幅及び発光部１４２ｃの幅が発光部１４２ａの幅の半分である場合、発光部１４２ｂの電流及び発光部１４２ｃの電流は、発光部１４２ａの電流の半分となる。このような場合においても、上記したように、発光部１４２ａの電流密度、発光部１４２ｂの電流密度及び発光部１４２ｃの電流密度は、互いに等しい。このため、発光部１４２ａの輝度、発光部１４２ｂの輝度及び発光部１４２ｃの輝度は、互いに等しくなる。
【００４８】
（実施例３及び４）
図１１は、実施例３に係る発光装置１０を示す平面図である。図１２は、実施例４に係る発光装置１０を示す平面図である。図１３は、比較例に係る発光装置１０を示す平面図である。図１４は、図１１に示した発光装置１０、図１２に示した発光装置１０及び図１３に示した発光装置１０のシミュレーション方法を説明するための図である。
【００４９】
実施例３（図１１）において、基板１００は、厚さ０．７ｍｍのガラス基板とした。複数の発光部１４０の一端の発光部１４０は、発光部１４２ｂとした。複数の発光部１４０の他端の発光部１４０は、発光部１４２ｃとした。各発光部１４０（発光部１４２ｂ及び発光部１４２ｃを除く。）の幅は、互いに等しくした。発光部１４２ｂの幅及び発光部１４２ｃの幅は、他の発光部１４０の幅の半分とした。発光部１４２、発光部１４４及び発光部１４６は、発光部１４２、発光部１４４及び発光部１４６の順で繰り返し配置させた。発光部１４２ａ（複数の発光部１４２のうち発光部１４２ｂ及び発光部１４２ｃ以外の発光部１４２）の数は、８つとした。発光部１４４の数は９つとした。発光部１４６の数は９つとした。光散乱層１６０の厚さは、０．２ｍｍとした。基板１００の第２面１０４に対向する領域に輝度計３００を置いた。輝度計３００のアパーチャの半径は、１４ｍｍとした。輝度計から光散乱層１６０の表層までの距離は、１０ｃｍとした。
【００５０】
なお、図１４に示す例において、各発光部１４０は、面１４０ａ（基板１００の第１面１０２と同じ方向を向いている面）から光を出射しないようにした。具体的には、面１４０ａ上に反射膜を位置させた。
【００５１】
実施例４に係る発光装置１０（図１２）は、以下の点を除いて、実施例３に係る発光装置１０（図１１）と同様にした。複数の発光部１４０の一端の発光部１４０は、発光部１４２ｂとした。複数の発光部１４０の他端の発光部１４０は、発光部１４６ｃとした。各発光部１４０（発光部１４２ｂ及び発光部１４６ｃを除く。）の幅は、互いに等しくした。発光部１４２ｂの幅及び発光部１４６ｃの幅は、他の発光部１４０の幅の半分とした。発光部１４２、発光部１４４、発光部１４６は、発光部１４２、発光部１４４及び発光部１４６の順で第１方向（図中、Ｘ方向）に沿って９回繰り返して配置させた。
【００５２】
比較例に係る発光装置１０（図１３）は、以下の点を除いて、実施例３に係る発光装置１０（図１１）と同様とした。各発光部１４０の幅は、互いに等しくした。発光部１４２、発光部１４４、発光部１４６は、発光部１４２、発光部１４４及び発光部１４６の順で第１方向（図中、Ｘ方向）に沿って９回繰り返して配置させた。
【００５３】
図１１〜図１３において、Ｄは、互いに隣接する発光部１４０の中心間距離を示す。
【００５４】
図１５（ａ）は、実施例３に係る発光装置１０（図１１）のシミュレーション結果の第１例を示す図である。図１５（ｂ）は、比較例に係る発光装置１０（図１３）のシミュレーション結果の第１例を示す図である。本図（ａ）及び本図（ｂ）では、互いに隣接する発光部１４０の中心間距離Ｄ（図１１及び図１３）は０．５０ｍｍとした。
【００５５】
本図（ａ）及び本図（ｂ）において、Δｕ´ｖ´は、ＣＩＥ  １９７６  ＵＳＣにおいて、以下の式（１）によって定義される値である。
【数１】
0006734674.tif 000002
ただし、（ｕｋ´，ｖｋ´）は、第ｋの位置における色度を示す。本図（ａ）及び本図（ｂ）では、光散乱層１６０からの光について、第１方向（図１１〜図１３のＸ方向）に沿って並ぶ第１の位置から第ｎの位置までの色度を算出した（１≦ｋ≦ｎ）。第１の位置から第ｎの位置は、第１の位置、第２の位置、・・・、第ｎの位置の順で等間隔に並んでいる。光散乱層１６０は、第１の位置（複数の発光部１４０の一端）から第ｎの位置（複数の発光部１４０の他端）まで位置する領域（第１領域）を含んでいる。光散乱層１６０は、第１領域内の中央たとえば、７／９の領域（中央領域）を含んでいる。ここで中央領域は発光装置１０に形成された発光部１４０のセット数Ａから両端の発光部１４０の２セットを引いた値であるが、たとえば両端から同じセット数だけ引いた値であればこれに限定されない。上記した式（２）の（ｕ´ＡＶＧ，ｖ´ＡＶＧ）は、光散乱層１６０の中央領域の色度の平均を示す。具体的には、本図に示す例では、第１の位置から第９０の位置までの色度を算出した（ｎ＝９０）。この場合、上記した式（２）においてａ＝１０となり、光散乱層１６０の中央領域は、第１１の位置から第８０の位置までの領域である。
【００５６】
本図（ａ）に示すように、実施例３の第１例では、Δｕ´ｖ´は、いずれの位置においても０．０２以下となった。これに対して、本図（ｂ）に示すように、比較例の第１例では、第１の位置から第ｎの位置までの領域の端部において、Δｕ´ｖ´が０．０２よりも大きくなった。この結果は、複数の発光部１４０からなる列の端部における色度と複数の発光部１４０からなる列のその他の領域における色度の差が小さくなった理由が、列の端部の発光部１４０の幅を狭くしたことに起因していることを示唆している。
【００５７】
図１６（ａ）は、実施例３に係る発光装置１０（図１１）のシミュレーション結果の第２例を示す図である。図１６（ｂ）は、比較例に係る発光装置１０（図１３）のシミュレーション結果の第２例を示す図である。本図（ａ）及び本図（ｂ）では、互いに隣接する発光部１４０の中心間距離Ｄ（図１１及び図１３）は０．４０ｍｍとした。
【００５８】
本図（ａ）に示すように、実施例３の第２例では、Δｕ´ｖ´は、いずれの位置においても０．０２以下となった。これに対して、本図（ｂ）に示すように、比較例の第２例では、第１の位置から第ｎの位置までの領域の端部において、Δｕ´ｖ´が０．０２よりも大きくなった。この結果は、複数の発光部１４０からなる列の端部における色度と複数の発光部１４０からなる列のその他の領域における色度の差が小さくなった理由が、列の端部の発光部１４０の幅を狭くしたことに起因していることを示唆している。
【００５９】
図１７（ａ）は、実施例３に係る発光装置１０（図１１）のシミュレーション結果の第３例を示す図である。図１７（ｂ）は、比較例に係る発光装置１０（図１３）のシミュレーション結果の第３例を示す図である。本図（ａ）及び本図（ｂ）では、互いに隣接する発光部１４０の中心間距離Ｄ（図１１及び図１３）は０．３５ｍｍとした。
【００６０】
本図（ａ）に示すように、実施例３の第３例では、Δｕ´ｖ´は、いずれの位置においても０．０２以下となった。これに対して、本図（ｂ）に示すように、比較例の第３例では、第１の位置から第ｎの位置までの領域の端部において、Δｕ´ｖ´が０．０２よりも大きくなった。この結果は、複数の発光部１４０からなる列の端部における色度と複数の発光部１４０からなる列のその他の領域における色度の差が小さくなった理由が、列の端部の発光部１４０の幅を狭くしたことに起因していることを示唆している。
【００６１】
図１８は、実施例４に係る発光装置１０（図１２）のシミュレーション結果の一例を示す図である。本図では、互いに隣接する発光部１４０の中心間距離Ｄ（図１２）は０．５０ｍｍとした。
【００６２】
本図に示すように、実施例４では、Δｕ´ｖ´は、いずれの位置においても０．０２以下となった。これに対して、図１５（ｂ）に示したように、比較例の第１例（Ｄ＝０．５０ｍｍ）では、第１の位置から第ｎの位置までの領域の端部において、Δｕ´ｖ´が０．０２よりも大きくなった。この結果は、複数の発光部１４０からなる列の端部における色度と複数の発光部１４０からなる列のその他の領域における色度の差が小さくなった理由が、列の端部の発光部１４０の幅を狭くしたことに起因していることを示唆している。
【００６３】
以上、図面を参照して実施形態及び実施例について述べたが、これらは本発明の例示であり、上記以外の様々な構成を採用することもできる。
【符号の説明】
【００６４】
１０  発光装置
１００  基板
１０２  第１面
１０４  第２面
１１０  第１電極
１１２  第１端子
１２０  有機層
１３０  第２電極
１３２  第２端子
１４０  発光部
１４０ａ  面
１４２  発光部
１４２ａ  発光部
１４２ｂ  発光部
１４２ｃ  発光部
１４４  発光部
１４４ａ  発光部
１４４ｂ  発光部
１４４ｃ  発光部
１４６  発光部
１４６ａ  発光部
１４６ｂ  発光部
１４６ｃ  発光部
１５０  絶縁層
１５２  開口
１６０  光散乱層
１７０  回路
１７２  第１配線
１７４  第２配線
２１０  第１導電層
２３０  第２導電層
３００  輝度計
【図１】
0006734674.tif 000003
【図２】
0006734674.tif 000004
【図３】
0006734674.tif 000005
【図４】
0006734674.tif 000006
【図５】
0006734674.tif 000007
【図６】
0006734674.tif 000008
【図７】
0006734674.tif 000009
【図８】
0006734674.tif 000010
【図９】
0006734674.tif 000011
【図１０】
0006734674.tif 000012
【図１１】
0006734674.tif 000013
【図１２】
0006734674.tif 000014
【図１３】
0006734674.tif 000015
【図１４】
0006734674.tif 000016
【図１５】
0006734674.tif 000017
【図１６】
0006734674.tif 000018
【図１７】
0006734674.tif 000019
【図１８】
0006734674.tif 000020